【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
第１のユーザ機器（ＵＥ）のワイヤレス通信の方法であって、
第２のＵＥに送信されるべきデータブロックを決定することと、
前記データブロックを搬送するためのサブフレーム中の第１のリソースと、前記データブロックを送信することに関連付けられた制御情報を搬送するための前記サブフレーム中の第２のリソースとを決定することと、
それぞれ、前記決定された第１および第２のリソース上で、デバイス・ツー・デバイス通信チャネルにおいて前記第２のＵＥに前記データブロックおよび前記制御情報を送信することと
を備え、
前記第２のリソースが、前記サブフレーム内の復調基準信号（ＤＭ−ＲＳ）シンボルに隣接する固定された制御シンボルの少なくとも一部分を備えることを特徴とする、方法。
【請求項２】
前記データブロックおよび前記制御情報は、車両通信ブロードキャストメッセージを通して前記第２のＵＥに送信される、請求項１に記載の方法。
【請求項３】
前記デバイス・ツー・デバイス通信チャネルは、ロングタームエボリューション（ＬＴＥ）ダイレクトプロトコルを用いる、請求項１に記載の方法。
【請求項４】
前記制御シンボル内の多重化されたデータは存在しない、請求項１に記載の方法。
【請求項５】
前記制御シンボルは、複数のリソースエレメントを備え、前記第２のリソースは、前記複数のリソースエレメントからの固定された数のリソースエレメントを備える、請求項４に記載の方法。
【請求項６】
前記制御情報は、前記第１のリソースの割り振りを備える、請求項４に記載の方法。
【請求項７】
前記ＤＭ−ＲＳシンボルは、固定されたベースシーケンス、サイクリックシフト、および直交カバーコード（ＯＣＣ）を有する、固定された基準信号を使用する、請求項１に記載の方法。
【請求項８】
前記制御シンボルに隣接しないＤＭ−ＲＳシンボルは、前記制御情報に依存するパラメータを有する基準信号を使用する、請求項１に記載の方法。
【請求項９】
前記制御情報は、前記データブロックの送信数、現在のデータ送信の冗長バージョン識別子（ＲＶＩＤ）、前記データブロックの変調およびコーディングスキーム（ＭＣＳ）、送信の時間リソースパターン（ＴＲＰＴ）、または後続の再送信の周波数情報のうちの１つまたは複数を備える、請求項１に記載の方法。
【請求項１０】
前記制御情報は、前記データブロックの第１の送信においてのみ存在し、前記データブロックの後続の再送信は、前記制御情報を搬送しない、請求項１に記載の方法。
【請求項１１】
ワイヤレス通信のための装置であって、前記装置は、第１のユーザ機器（ＵＥ）であり、
第２のＵＥに送信されるべきデータブロックを決定するための手段と、
前記データブロックを搬送するためのサブフレーム中の第１のリソースと、前記データブロックを送信することに関連付けられた制御情報を搬送するための前記サブフレーム中の第２のリソースとを決定するための手段と、
それぞれ、前記決定された第１および第２のリソース上で、デバイス・ツー・デバイス通信チャネルにおいて前記第２のＵＥに前記データブロックおよび前記制御情報を送信するための手段と
を備え、
前記第２のリソースが、前記サブフレーム内の復調基準信号（ＤＭ−ＲＳ）シンボルに隣接する固定された制御シンボルの少なくとも一部分を備えることを特徴とする、装置。
【請求項１２】
前記制御情報は、前記第１のリソースの割り振りを備える、請求項１１に記載の装置。
【請求項１３】
前記ＤＭ−ＲＳシンボルは、固定されたベースシーケンス、サイクリックシフト、および直交カバーコード（ＯＣＣ）を有する、固定された基準信号を使用する、請求項１１に記載の装置。
【請求項１４】
前記制御シンボルに隣接しないＤＭ−ＲＳシンボルは、前記制御情報に依存するパラメータを有する基準信号を使用する、請求項１１に記載の装置。
【請求項１５】
ワイヤレス通信のためのコンピュータ実行可能なコードを記憶するコンピュータ可読媒体であって、実行されると、ワイヤレス通信デバイスに、請求項１乃至９のいずれか一項に記載の方法を行わせるコードを備える、コンピュータ可読媒体。
【手続補正２】
【補正対象書類名】明細書
【補正対象項目名】００８５
【補正方法】変更
【補正の内容】
【００８５】
[0094]  先の説明は、本明細書で説明される様々な態様を当業者が実施することを可能にするために提供される。これらの態様への様々な修正は、当業者に対して容易に明らかであり、本明細書に定義される一般的な原理は、他の態様に適用され得る。よって、請求項は、本明細書に示される態様に限定されることが意図されるものではなく、請求項の文言と矛盾しない最大範囲であると認められるべきであり、ここにおいて、単数の要素への参照は、そのように具体的に記載されていない限り、「１つおよび１つのみ」を意味するものではなく、むしろ「１つまたは複数」を意味することが意図される。「例示的な」という用語は、本明細書では「例、実例、または例示を提供する」ことを意味するために使用される。「例示的」なものとして本明細書に説明される任意の態様は、必ずしも、他の態様よりも好ましいまたは有利であると解釈されるべきではない。そうでないことが具体的に記載されていない限り、「いくつかの」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組み合わせ」のような組み合わせは、Ａ、Ｂ、および／またはＣの任意の組み合わせを含み、複数のＡ、複数のＢ、または複数のＣを含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、またはＡとＢとＣであり得、ここで、任意のこのような組み合わせは、Ａ、Ｂ、またはＣの１つまたは複数のメンバーを含み得る。当業者に知られている、あるいは後に知られることになる本開示全体にわたって説明される様々な態様の要素に対するすべての構造的および機能的な同等物は、参照により本明細書に明示的に組み込まれ、請求項に包含されることが意図されている。さらに、本明細書で開示されたものはどれも、このような開示が請求項に明示的に記載されているかどうかに関わらず、公衆に献呈されることが意図されるものではない。「モジュール」、「メカニズム」、「要素」、「デバイス」などの用語は、「手段」という用語の代用ではない可能性があり得る。そのため、要素が「〜のための手段」というフレーズを使用して明示的に記載されていない限り、どの請求項の要素もミーンズプラスファンクションとして解釈されるべきではない。
以下に、本願出願の当初の特許請求の範囲に記載された発明を付記する。
［Ｃ１］
第１のユーザ機器（ＵＥ）のワイヤレス通信の方法であって、
第２のＵＥに送信されるべきデータブロックを決定することと、
前記データブロックを搬送するためのサブフレーム中の第１のリソースと、前記データブロックを送信することに関連付けられた制御情報を搬送するための前記サブフレーム中の第２のリソースとを決定することと、
それぞれ、前記決定された第１および第２のリソース上で、デバイス・ツー・デバイス通信チャネルにおいて前記第２のＵＥに前記データブロックおよび前記制御情報を送信することと
を備える、方法。
［Ｃ２］
前記データブロックおよび前記制御情報は、車両通信ブロードキャストメッセージを通して前記第２のＵＥに送信される、Ｃ１に記載の方法。
［Ｃ３］
前記デバイス・ツー・デバイス通信チャネルは、ロングタームエボリューション（ＬＴＥ）ダイレクトプロトコルを用いる、Ｃ１に記載の方法。
［Ｃ４］
前記第２のリソースは、前記サブフレーム内の固定された制御シンボルの少なくとも一部分を備え、前記制御シンボル内の多重化されたデータは存在しない、Ｃ１に記載の方法。
［Ｃ５］
前記制御シンボルは、複数のリソースエレメントを備え、前記第２のリソースは、前記複数のリソースエレメントからの固定された数のリソースエレメントを備える、Ｃ４に記載の方法。
［Ｃ６］
前記制御情報は、前記第１のリソースの割り振りを備える、Ｃ４に記載の方法。
［Ｃ７］
前記制御シンボルは、復調基準信号（ＤＭ−ＲＳ）シンボルに隣接する、Ｃ４に記載の方法。
［Ｃ８］
前記ＤＭ−ＲＳシンボルは、固定されたベースシーケンス、サイクリックシフト、および直交カバーコード（ＯＣＣ）を有する、固定された基準信号を使用する、Ｃ７に記載の方法。
［Ｃ９］
前記制御シンボルに隣接しないＤＭ−ＲＳシンボルは、前記制御情報に依存するパラメータを有する基準信号を使用する、Ｃ７に記載の方法。
［Ｃ１０］
前記制御情報は、前記データブロックの送信数、現在のデータ送信の冗長バージョン識別子（ＲＶＩＤ）、前記データブロックの変調およびコーディングスキーム（ＭＣＳ）、送信の時間リソースパターン（ＴＲＰＴ）、または後続の再送信の周波数情報のうちの１つまたは複数を備える、Ｃ１に記載の方法。
［Ｃ１１］
前記制御情報は、前記データブロックの第１の送信においてのみ存在し、前記データブロックの後続の再送信は、前記制御情報を搬送しない、Ｃ１に記載の方法。
［Ｃ１２］
ワイヤレス通信のための装置であって、前記装置は、第１のユーザ機器（ＵＥ）であり、
第２のＵＥに送信されるべきデータブロックを決定するための手段と、
前記データブロックを搬送するためのサブフレーム中の第１のリソースと、前記データブロックを送信することに関連付けられた制御情報を搬送するための前記サブフレーム中の第２のリソースとを決定するための手段と、
それぞれ、前記決定された第１および第２のリソース上で、デバイス・ツー・デバイス通信チャネルにおいて前記第２のＵＥに前記データブロックおよび前記制御情報を送信するための手段と
を備える、装置。
［Ｃ１３］
前記第２のリソースは、前記サブフレーム内の固定された制御シンボルの少なくとも一部分を備え、前記制御シンボル内の多重化されたデータは存在しない、Ｃ１２に記載の装置。
［Ｃ１４］
前記制御シンボルは、複数のリソースエレメントを備え、前記第２のリソースは、前記複数のリソースエレメントからの固定された数のリソースエレメントを備える、Ｃ１３に記載の装置。
［Ｃ１５］
前記制御情報は、前記第１のリソースの割り振りを備える、Ｃ１３に記載の装置。
［Ｃ１６］
前記制御シンボルは、復調基準信号（ＤＭ−ＲＳ）シンボルに隣接する、Ｃ１３に記載の装置。
［Ｃ１７］
前記ＤＭ−ＲＳシンボルは、固定されたベースシーケンス、サイクリックシフト、および直交カバーコード（ＯＣＣ）を有する、固定された基準信号を使用する、Ｃ１６に記載の装置。
［Ｃ１８］
前記制御シンボルに隣接しないＤＭ−ＲＳシンボルは、前記制御情報に依存するパラメータを有する基準信号を使用する、Ｃ１６に記載の装置。
［Ｃ１９］
前記制御情報は、前記データブロックの送信数、現在のデータ送信の冗長バージョン識別子（ＲＶＩＤ）、前記データブロックの変調およびコーディングスキーム（ＭＣＳ）、送信の時間リソースパターン（ＴＲＰＴ）、または後続の再送信の周波数情報のうちの１つまたは複数を備える、Ｃ１２に記載の装置。
［Ｃ２０］
前記制御情報は、前記データブロックの第１の送信においてのみ存在し、前記データブロックの後続の再送信は、前記制御情報を搬送しない、Ｃ１２に記載の装置。
［Ｃ２１］
ワイヤレス通信のための装置であって、前記装置は、第１のユーザ機器（ＵＥ）であり、
メモリと、
前記メモリに結合され、
第２のＵＥに送信されるべきデータブロックを決定することと、
前記データブロックを搬送するためのサブフレーム中の第１のリソースと、前記データブロックを送信することに関連付けられた制御情報を搬送するための前記サブフレーム中の第２のリソースとを決定することと、
それぞれ、前記決定された第１および第２のリソース上で、デバイス・ツー・デバイス通信チャネルにおいて前記第２のＵＥに前記データブロックおよび前記制御情報を送信することと
を行うように構成された少なくとも１つのプロセッサと
を備える、装置。
［Ｃ２２］
前記第２のリソースは、前記サブフレーム内の固定された制御シンボルの少なくとも一部分を備え、前記制御シンボル内の多重化されたデータは存在しない、Ｃ２１に記載の装置。
［Ｃ２３］
前記制御シンボルは、複数のリソースエレメントを備え、前記第２のリソースは、前記複数のリソースエレメントからの固定された数のリソースエレメントを備える、Ｃ２２に記載の装置。
［Ｃ２４］
前記制御情報は、前記第１のリソースの割り振りを備える、Ｃ２２に記載の装置。
［Ｃ２５］
前記制御シンボルは、復調基準信号（ＤＭ−ＲＳ）シンボルに隣接する、Ｃ２２に記載の装置。
［Ｃ２６］
前記ＤＭ−ＲＳシンボルは、固定されたベースシーケンス、サイクリックシフト、および直交カバーコード（ＯＣＣ）を有する、固定された基準信号を使用する、Ｃ２５に記載の装置。
［Ｃ２７］
前記制御シンボルに隣接しないＤＭ−ＲＳシンボルは、前記制御情報に依存するパラメータを有する基準信号を使用する、Ｃ２５に記載の装置。
［Ｃ２８］
前記制御情報は、前記データブロックの送信数、現在のデータ送信の冗長バージョン識別子（ＲＶＩＤ）、前記データブロックの変調およびコーディングスキーム（ＭＣＳ）、送信の時間リソースパターン（ＴＲＰＴ）、または後続の再送信の周波数情報のうちの１つまたは複数を備える、Ｃ２１に記載の装置。
［Ｃ２９］
前記制御情報は、前記データブロックの第１の送信においてのみ存在し、前記データブロックの後続の再送信は、前記制御情報を搬送しない、Ｃ２１に記載の装置。
［Ｃ３０］
ワイヤレス通信のためのコンピュータ実行可能なコードを記憶するコンピュータ可読媒体であって、
第１のユーザ機器（ＵＥ）において、第２のＵＥに送信されるべきデータブロックを決定することと、
前記データブロックを搬送するためのサブフレーム中の第１のリソースと、前記データブロックを送信することに関連付けられた制御情報を搬送するための前記サブフレーム中の第２のリソースとを決定することと、
それぞれ、前記決定された第１および第２のリソース上で、デバイス・ツー・デバイス通信チャネルにおいて前記第２のＵＥに前記データブロックおよび前記制御情報を送信することと
を行うためのコードを備える、コンピュータ可読媒体。